(57)【要約】【課題】利用者が施設端末により商品を注文する際の利便性を向上させることが可能な商品注文支援システム、商品注文支援方法、及び商品注文支援プログラムを提供すること。【解決手段】本発明に係る商品注文支援システムは、施設の利用者から施設端末により商品の注文を受け付ける商品注文支援システムであって、前記施設が提供する前記商品の情報を含む商品ページを前記施設端末に表示させる商品表示処理部と、前記商品表示処理部により表示される前記商品ページにおいて前記利用者により選択される前記商品をお気に入り商品に登録する商品登録処理部と、前記商品登録処理部により登録される前記お気に入り商品のうち所定のお気に入り商品の画像を含むお気に入りページを前記施設端末に表示させるお気に入り商品表示処理部と、を備える。【選択図】図８
2020077145.tif 000002
【特許請求の範囲】
【請求項１】
施設の利用者から施設端末により商品の注文を受け付ける商品注文支援システムであって、
前記施設が提供する前記商品の情報を含む商品ページを前記施設端末に表示させる商品表示処理部と、
前記商品表示処理部により表示される前記商品ページにおいて前記利用者により選択される前記商品をお気に入り商品に登録する商品登録処理部と、
前記商品登録処理部により登録される前記お気に入り商品のうち所定のお気に入り商品の画像を含むお気に入りページを前記施設端末に表示させるお気に入り商品表示処理部と、
を備える商品注文支援システム。
【請求項２】
前記商品表示処理部は、前記商品ページにおいて前記利用者により前記商品が選択された場合に、当該商品の注文を確定させる操作を受け付ける注文確定ボタンと、当該商品を前記お気に入り商品に登録する操作を受け付けるお気に入り登録ボタンとを表示させ、
前記商品登録処理部は、前記お気に入り登録ボタンが選択された場合に前記商品を前記お気に入り商品に登録する、
請求項１に記載の商品注文支援システム。
【請求項３】
前記商品の注文を確定させる注文処理部をさらに備え、
前記注文処理部は、前記注文確定ボタンが選択された場合に、前記商品を前記お気に入り商品に登録しないで注文を確定させる、
請求項２に記載の商品注文支援システム。
【請求項４】
前記商品表示処理部は、前記商品ページにおいて、前記利用者によるドラッグアンドドロップ操作により前記商品の画像を移動可能に表示させ、
前記商品登録処理部は、前記商品ページにおいて、前記利用者によるドラッグアンドドロップ操作により前記商品の画像が所定の領域に移動された場合に、当該商品を前記お気に入り商品に登録する、
請求項１に記載の商品注文支援システム。
【請求項５】
前記お気に入り商品表示処理部は、前記商品登録処理部により登録される前記お気に入り商品の数に応じた大きさで、前記お気に入り商品の画像を前記お気に入りページに表示させる、
請求項１から４のいずれかに記載の商品注文支援システム。
【請求項６】
前記お気に入り商品表示処理部は、前記商品登録処理部により登録される全ての前記お気に入り商品の画像を、前記お気に入りページの１ページに収まる大きさで表示させる、
請求項５に記載の商品注文支援システム。
【請求項７】
前記お気に入り商品表示処理部は、前記商品登録処理部により登録される前記お気に入り商品のうち、注文頻度が高い第１お気に入り商品の画像を前記お気に入りページに表示させ、前記第１お気に入り商品とは異なる第２お気に入り商品の画像を除いたテキスト情報を前記お気に入りページに表示させる、
請求項１から４のいずれかに記載の商品注文支援システム。
【請求項８】
前記商品の注文を確定させる注文処理部をさらに備え、
前記注文処理部は、前記お気に入りページに表示される前記お気に入り商品のうち前記利用者により選択される前記お気に入り商品の注文を確定させる、
請求項１から７のいずれかに記載の商品注文支援システム。
【請求項９】
前記注文処理部により前記お気に入り商品の注文が確定された場合に、前記商品登録処理部は、注文が確定された前記お気に入り商品の登録を解除し、前記お気に入り商品表示処理部は、注文が確定された前記お気に入り商品の画像を前記お気に入りページから削除させる、
請求項８に記載の商品注文支援システム。
【請求項１０】
前記注文処理部により前記お気に入り商品の注文が確定された場合において、
前記商品登録処理部は、注文が確定された前記お気に入り商品のうち注文頻度が高い第１お気に入り商品の登録を維持し、前記第１お気に入り商品とは異なる第２お気に入り商品の登録を解除し、
前記お気に入り商品表示処理部は、前記第１お気に入り商品の画像を前記お気に入りページに表示させ、前記第２お気に入り商品の画像を前記お気に入りページから削除させる、
請求項８に記載の商品注文支援システム。
【請求項１１】
前記注文に対する会計処理が完了した場合に、前記商品登録処理部は、前記お気に入り商品の登録を解除し、前記お気に入り商品表示処理部は、前記お気に入り商品の画像を前記お気に入りページから削除させる、
請求項１から８のいずれかに記載の商品注文支援システム。
【請求項１２】
施設が提供する商品の情報を含む商品ページを施設端末に表示させることと、
前記施設端末に表示される前記商品ページにおいて前記施設の利用者により選択される前記商品をお気に入り商品に登録することと、
前記お気に入り商品のうち所定のお気に入り商品の画像を含むお気に入りページを前記施設端末に表示させることと、
を一又は複数のプロセッサによって実行する商品注文支援方法。
【請求項１３】
施設が提供する商品の情報を含む商品ページを施設端末に表示させることと、
前記施設端末に表示される前記商品ページにおいて前記施設の利用者により選択される前記商品をお気に入り商品に登録することと、
前記お気に入り商品のうち所定のお気に入り商品の画像を含むお気に入りページを前記施設端末に表示させることと、
を一又は複数のプロセッサに実行させるための商品注文支援プログラム。
【発明の詳細な説明】
【技術分野】
【０００１】
本発明は、商品注文支援システム、商品注文支援方法、及び商品注文支援プログラムに関する。
【背景技術】
【０００２】
飲食店において、客（利用者）がテーブルに設置された施設端末（セルフオーダー端末、テーブルトップ端末）を使って飲食物を注文することを可能にするセルフオーダーシステムが広く導入されている。また、利用者が今までに注文した商品を容易に再注文できる機能を有するセルフオーダーシステムも知られている（例えば特許文献１参照）。
【先行技術文献】
【特許文献】
【０００３】
【特許文献１】特開２００９−１５７４２１号公報
【発明の概要】
【発明が解決しようとする課題】
【０００４】
一般的に、セルフオーダー端末は、飲食店が扱う全ての商品の注文を可能にしているため、当該セルフオーダー端末に表示される表示画面において複数ページに渡って商品を掲載している。利用者は、セルフオーダー端末において複数の商品ページを捲りながら希望の商品を探す。このため、商品ページが多くなると、利用者は、好みの商品を見つけることが難しくなり、また一度見た商品を忘れてしまい、商品ページを行ったり来たりする場合がある。このように、従来、利用者が施設端末により商品を注文する際の利便性が悪いという問題がある。
【０００５】
本発明の目的は、利用者が施設端末により商品を注文する際の利便性を向上させることが可能な商品注文支援システム、商品注文支援方法、及び商品注文支援プログラムを提供することにある。
【課題を解決するための手段】
【０００６】
本発明の一の形態は、施設の利用者から施設端末により商品の注文を受け付ける商品注文支援システムであって、前記施設が提供する前記商品の情報を含む商品ページを前記施設端末に表示させる商品表示処理部と、前記商品表示処理部により表示される前記商品ページにおいて前記利用者により選択される前記商品をお気に入り商品に登録する商品登録処理部と、前記商品登録処理部により登録される前記お気に入り商品のうち所定のお気に入り商品の画像を含むお気に入りページを前記施設端末に表示させるお気に入り商品表示処理部と、を備える商品注文支援システムである。
【０００７】
本発明の他の形態は、施設が提供する商品の情報を含む商品ページを施設端末に表示させることと、前記施設端末に表示される前記商品ページにおいて前記施設の利用者により選択される前記商品をお気に入り商品に登録することと、前記お気に入り商品のうち所定のお気に入り商品の画像を含むお気に入りページを前記施設端末に表示させることと、を一又は複数のプロセッサによって実行する商品注文支援方法である。
【０００８】
本発明の他の形態は、施設が提供する商品の情報を含む商品ページを施設端末に表示させることと、前記施設端末に表示される前記商品ページにおいて前記施設の利用者により選択される前記商品をお気に入り商品に登録することと、前記お気に入り商品のうち所定のお気に入り商品の画像を含むお気に入りページを前記施設端末に表示させることと、を一又は複数のプロセッサに実行させるための商品注文支援プログラムである。
【発明の効果】
【０００９】
本発明によれば、利用者が施設端末により商品を注文する際の利便性を向上させることが可能な商品注文支援システム、商品注文支援方法、及び商品注文支援プログラムが提供される。
【図面の簡単な説明】
【００１０】
【図１】図１は、本発明の実施形態に係る商品注文支援システムの構成を示すブロック図である。
【図２】図２は、本発明の実施形態に係る商品注文支援システムで使用される商品情報データベースの一例を示す図である。
【図３】図３は、本発明の実施形態に係る商品注文支援システムで使用されるお気に入り商品情報データベースの一例を示す図である。
【図４】図４は、本発明の実施形態に係る商品注文支援システムで表示される第１メニュー画面の一例を示す図である。
【図５】図５は、本発明の実施形態に係る商品注文支援システムで表示される第２メニュー画面の一例を示す図である。
【図６】図６は、本発明の実施形態に係る商品注文支援システムで表示される第２メニュー画面の一例を示す図である。
【図７】図７は、本発明の実施形態に係る商品注文支援システムで表示される第２メニュー画面の一例を示す図である。
【図８】図８は、本発明の実施形態に係る商品注文支援システムで表示されるお気に入りページの一例を示す図である。
【図９】図９は、本発明の実施形態に係る商品注文支援システムで表示されるお気に入りページの他の例を示す図である。
【図１０】図１０は、本発明の実施形態に係る商品注文支援システムで実行される商品注文支援処理の手順の一例を示すフローチャートである。
【図１１】図１１は、本発明の実施形態に係る商品注文支援システムで表示される第２メニュー画面の他の例を示す図である。
【図１２】図１２は、本発明の実施形態に係る商品注文支援システムで表示されるお気に入りページの他の例を示す図である。
【図１３】図１３は、本発明の実施形態に係る商品注文支援システムで表示されるお気に入りページの他の例を示す図である。
【図１４】図１４は、本発明の実施形態に係る商品注文支援システムで表示されるお気に入りページの他の例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
［商品注文支援システム１００］
図１に示されるように、本発明の実施形態に係る商品注文支援システム１００は、商品注文支援装置１と施設端末２とを含む。商品注文支援装置１と施設端末２とは、インターネット、ＬＡＮ、ＷＡＮ、又は公衆電話回線などの通信網Ｎ１を介して通信可能である。なお、商品注文支援装置１及び施設端末２はそれぞれ、複数設けられてもよい。商品注文支援システム１００及び商品注文支援装置１はそれぞれ、本発明の商品注文支援システムの一例である。施設端末２は、本発明の施設端末の一例である。
【００１３】
施設端末２は、例えば飲食店、カラオケ店などの施設の各テーブルに設置される。施設端末２は、施設の利用者が操作して所望の商品（例えば飲食物）の注文を行うことが可能な操作端末（セルフオーダー端末）である。図１では、一例として、２台の施設端末２Ａ，２Ｂを示している。例えば、施設端末２Ａは、テーブル番号「０１」のテーブルに設置され、施設端末２Ｂは、テーブル番号「０２」のテーブルに設置される。なお、利用者は、施設端末２の代わりに、当該利用者が所有する利用者端末を使用して前記商品の注文を行ってもよい。すなわち、本発明の施設端末には、利用者が施設において商品の注文を行うことが可能なあらゆる操作端末が含まれる。
【００１４】
商品注文支援装置１は、１又は複数の施設端末２を管理する。商品注文支援装置１は、施設端末２が設置された飲食店に設置されてもよいし、飲食店の外部に設置され、通信網Ｎ１を介して施設端末２とデータ通信を行ってもよい。
【００１５】
本実施形態では、商品注文支援装置１単体が本発明に係る商品注文支援システムに相当するが、本発明に係る商品注文支援システムは、商品注文支援装置１及び施設端末２のうち一又は複数の構成要素を含むものであってもよい。例えば、商品注文支援装置１及び施設端末２のうち複数の構成要素が協働して後述する各種の商品注文支援処理（図１０参照）を分担して実行する場合には、その処理を実行する複数の構成要素を含むシステムを本発明に係る商品注文支援システムとして捉えることが可能である。例えば、商品注文支援装置１及び施設端末２が本発明に係る商品注文支援システムを構成することが考えられる。
【００１６】
以下では、飲食物を提供する飲食店のテーブルに設置された１台の施設端末２と、施設端末２とデータ通信を行う１台の商品注文支援装置１とを例に挙げて説明する。前記飲食店は、本発明の施設の一例である。
【００１７】
［商品注文支援装置１］
図１に示されるように、商品注文支援装置１は、制御部１１、記憶部１２、操作表示部１３、及び通信Ｉ／Ｆ１４などを備える。商品注文支援装置１は、例えばタブレット端末又はパーソナルコンピュータのような情報処理装置であってもよい。また、商品注文支援装置１で実行される各種の処理は、一又は複数のプロセッサによって分散して実行されてもよい。
【００１８】
通信Ｉ／Ｆ１４は、商品注文支援装置１を有線又は無線で通信網（不図示）に接続し、通信網を介して施設端末２、厨房端末（不図示）などの外部機器との間で所定の通信プロトコルに従ったデータ通信を実行するための通信インターフェースである。前記厨房端末は、商品注文支援装置１から注文内容を取得し、厨房スタッフに当該注文内容を報知する。
【００１９】
操作表示部１３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００２０】
記憶部１２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。具体的に、記憶部１２は、商品情報データベース（以下、「ＤＢ」という。）１２１、及び、お気に入り商品情報ＤＢ１２２を含む。図２は商品情報ＤＢ１２１の一例を示す図であり、図３はお気に入り商品情報ＤＢ１２２の一例を示す図である。
【００２１】
図２に示されるように、商品情報ＤＢ１２１には、飲食店で提供される全ての商品（飲食物）に関する情報（商品情報）が登録される。例えば、商品情報ＤＢ１２１には、商品ＩＤ、商品名、金額、及び画像の情報が登録される。前記商品ＩＤは、商品の識別情報である。前記商品名は、商品の名前である。前記画像は、前記商品を表す撮像画像又はイラスト画像である。なお、本実施形態では、便宜上、前記画像を画像名で表す。
【００２２】
商品情報ＤＢ１２１には、メニューのカテゴリー（ジャンル）ごとに複数の商品情報が登録される。例えば、商品ＩＤ「Ａ・・・」の商品は「海鮮メニュー」のカテゴリーに含まれる商品であり、商品ＩＤ「Ｂ・・・」の商品は「定食メニュー」のカテゴリーに含まれる商品であり、商品ＩＤ「Ｃ・・・」の商品は「デザートメニュー」のカテゴリーに含まれる商品であり、商品ＩＤ「Ｄ・・・」の商品は「ドリンクメニュー」のカテゴリーに含まれる商品である。各カテゴリーには、具体的な複数の商品が含まれる。例えば「海鮮メニュー」には、「刺身（３種）」、「刺身（５種）」などが含まれる。
【００２３】
商品情報ＤＢ１２１の商品情報は、飲食店の管理者により予め登録され、必要に応じて適宜更新される。
【００２４】
図３に示されるように、お気に入り商品情報ＤＢ１２２には、利用者により選択された商品（お気に入り商品）に関する商品情報が登録される。例えば、お気に入り商品情報ＤＢ１２２には、商品情報ＤＢ１２１と同様の項目（商品ＩＤ、商品名、金額、及び画像）の情報が登録される。商品情報ＤＢ１２１に登録された商品のうち、利用者により選択された商品に関する商品情報が、お気に入り商品情報ＤＢ１２２に随時登録される。お気に入り商品情報ＤＢ１２２に登録された商品情報は、注文が確定した場合、会計が完了した場合など、利用者の操作に基づいて削除又は変更される。
【００２５】
なお、他の実施形態として、商品情報ＤＢ１２１及びお気に入り商品情報ＤＢ１２２などの情報の一部又は全部が、施設端末２、又は、商品注文支援装置１からアクセス可能なサーバに記憶されてもよい。この場合、商品注文支援装置１の制御部１１は、施設端末２又は前記サーバから前記情報を取得して、後述の商品注文支援処理（図１０参照）などの各処理を実行してもよい。
【００２６】
また、記憶部１２には、施設端末２に表示されるメニュー画面（図４等）、お気に入りページ（図８等）、会計画面などのデータも記憶される。
【００２７】
さらに、記憶部１２には、制御部１１に後述の商品注文支援処理（図１０参照）を実行させるための商品注文支援プログラムなどの制御プログラムが記憶されている。例えば、前記商品注文支援プログラムは、ＵＳＢ、ＣＤ又はＤＶＤなどのコンピュータ読取可能な記録媒体に非一時的に記録されており、商品注文支援装置１に電気的に接続されるＵＳＢドライブ、ＣＤドライブ又はＤＶＤドライブなどの読取装置（不図示）で読み取られて記憶部１２に記憶される。また、前記商品注文支援プログラムは、商品注文支援装置１からアクセス可能なサーバからダウンロードされて、記憶部１２に記憶されてもよい。
【００２８】
制御部１１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部１１は、前記ＲＯＭ又は記憶部１２に予め記憶された各種の制御プログラムを前記ＣＰＵで実行することにより商品注文支援装置１を制御する。
【００２９】
ところで、飲食店において、客（利用者）がテーブルに設置された施設端末（セルフオーダー端末）を使って飲食物を注文することを可能にするセルフオーダーシステムが広く導入されている。また、利用者が今までに注文した商品を容易に再注文できる機能を有するセルフオーダーシステムも知られている。一般的に、一般的に、セルフオーダー端末は、飲食店が扱う全ての商品の注文を可能にしているため、当該セルフオーダー端末に表示される表示画面において複数ページに渡って商品を掲載している。利用者は、セルフオーダー端末において複数の商品ページを捲りながら希望の商品を探す。このため、商品ページが多くなると、利用者は、好みの商品を見つけることが難しくなり、また一度見た商品を忘れてしまい、商品ページを行ったり来たりする場合がある。このように、従来、利用者がセルフオーダー端末により商品を注文する際の利便性を悪いという問題がある。これに対して、本実施形態に係る商品注文支援装置１では、利用者がセルフオーダー端末により商品を注文する際の利便性を向上させることが可能である。
【００３０】
具体的に、制御部１１は、図１に示されるように、商品表示処理部１１１、受付処理部１１２、注文処理部１１３、商品登録処理部１１４、お気に入り商品表示処理部１１５、及び会計処理部１１６などの各種の処理部を含む。なお、制御部１１は、前記ＣＰＵで前記商品注文支援プログラムに従った各種の処理を実行することによって、商品表示処理部１１１、受付処理部１１２、注文処理部１１３、商品登録処理部１１４、お気に入り商品表示処理部１１５、及び会計処理部１１６として機能する。また、制御部１１に含まれる一部又は全部の処理部が電子回路で構成されていてもよい。なお、前記商品注文支援プログラムは、複数のプロセッサを前記各種の処理部として機能させるためのプログラムであってもよい。
【００３１】
商品表示処理部１１１は、飲食店が提供する商品（飲食物）の情報を含む商品ページを施設端末２に表示させる。商品表示処理部１１１は、本発明の商品表示処理部の一例である。例えば、飲食店に来店した利用者がテーブル番号「０１」のテーブルに着席して施設端末２の操作表示部２３にタッチした場合、商品表示処理部１１１は、図４に示す第１メニュー画面（ＴＯＰ画面）を施設端末２に表示させる。前記第１メニュー画面は、本発明の商品ページの一例である。前記第１メニュー画面には、カテゴリー（「海鮮」、「定食」、「デザート」、「ドリンク」）ごとのメニューボタンＭ１が表示される。
【００３２】
受付処理部１１２は、施設端末２に表示される各種画面において利用者からの操作を受け付ける。例えば、受付処理部１１２は、図４に示す前記第１メニュー画面において利用者の選択操作（タッチ操作など）を受け付ける。
【００３３】
例えば、前記第１メニュー画面において利用者が「海鮮メニュー」を選択した場合、受付処理部１１２は選択操作を受け付け、商品表示処理部１１１は当該選択操作に応じた第２メニュー画面（図５参照）を施設端末２に表示させる。前記第２メニュー画面には、前記第１メニュー画面のカテゴリーに含まれる具体的な商品の情報が表示される。例えば、「海鮮メニュー」の第２メニュー画面には、「刺身（３種）」、「刺身（５種）」、「焼き魚」、「…」などの情報が表示される。前記第２メニュー画面において、複数の商品が１ページに収まらない場合には、複数ページに渡って表示される。例えば利用者が前記第２メニュー画面の「次へ」を選択すると、次ページの前記第２メニュー画面が表示される。前記第１メニュー画面及び前記第２メニュー画面は、本発明の商品ページの一例である。
【００３４】
前記第２メニュー画面には、前記第１メニュー画面のメニューボタンＭ１と、商品欄Ｍ２に表示される複数の商品情報（商品画像Ｍ３、商品名Ｍ４、金額など）とが表示される。商品画像Ｍ３は、商品の画像を表すとともに、利用者が商品を選択するための選択ボタンとしての機能を有する。また前記第２メニュー画面には、お気に入りページに移行するためのお気に入りページボタンＭ５と、注文ページに移行するための注文ページボタンＭ６と、会計ページに移行するための会計ボタンＭ７とが含まれる。
【００３５】
利用者は、前記第２メニュー画面において所望の商品を選択し、選択した商品について、注文を確定させる操作、又は、お気に入り商品に登録する操作を行う。
【００３６】
注文処理部１１３は、商品の注文を確定させる。注文処理部１１３は、本発明の注文処理部の一例である。例えば、利用者が図５に示す前記第２メニュー画面において「刺身（５種）」の商品画像「ＰＡ２」を選択した場合、商品表示処理部１１１は、図６に示すように、当該商品の注文を確定させる操作を受け付ける注文確定ボタンＫ１と、当該商品を前記お気に入り商品に登録する操作を受け付けるお気に入り登録ボタンＫ２とを、施設端末２の前記第２メニュー画面に表示させる。注文確定ボタンＫ１は、本発明の注文確定ボタンの一例であり、お気に入り登録ボタンＫ２は、本発明のお気に入り登録ボタンの一例である。
【００３７】
利用者が前記商品の注文確定ボタンＫ１を選択（タッチ）した場合、注文処理部１１３は、当該商品（「刺身（５種）」）の注文を確定させる。注文処理部１１３は、注文が確定した商品の情報（注文内容）を厨房端末に送信する。また注文処理部１１３は、注文が確定した商品の情報を前記注文ページ（不図示）に表示させてもよい。前記注文ページには、注文履歴が蓄積される。利用者が注文ページボタンＭ６を選択すると、制御部１１は前記注文ページを施設端末２に表示させる。
【００３８】
利用者が前記商品のお気に入り登録ボタンＫ２を選択（タッチ）した場合（図６参照）、商品登録処理部１１４は、当該商品（「刺身（５種）」）をお気に入り商品に登録する。具体的には、商品登録処理部１１４は、前記お気に入り商品をお気に入り商品情報ＤＢ１２２（図３参照）に登録する。
【００３９】
利用者は、商品を選択したときに即座に注文を確定させられず、当該商品を後で再確認したい場合などに、一先ず当該商品をお気に入り商品として登録する。利用者は、施設端末２に表示される前記第１メニュー画面及び前記第２メニュー画面を閲覧しながら商品を検索し、好みの商品を見つける度にお気に入り商品に登録していく。図３は、このようにして登録された複数のお気に入り商品の情報を示している。
【００４０】
ここで、商品表示処理部１１１は、前記お気に入り商品の商品画像、お気に入りページボタンＭ５、及びメニューボタンＭ１の少なくとも何れかに、お気に入り商品として登録されたことを示す情報（フラグＦ１）を付与してもよい。図７に示す例では、前記お気に入り商品の商品画像、お気に入りページボタンＭ５、及びメニューボタンＭ１のそれぞれにフラグＦ１が付与されている。これにより、利用者は、商品を検索する際に、お気に入り商品として登録されているか否かを把握することができる。なお、商品表示処理部１１１は、前記フラグＦ１を付与せずに、前記お気に入り商品の商品画像、お気に入りページボタンＭ５、及びメニューボタンＭ１の表示態様（大きさ、色など）を変更してもよい。
【００４１】
お気に入り商品表示処理部１１５は、商品登録処理部１１４により登録される前記お気に入り商品のうち所定のお気に入り商品の画像を含むお気に入りページを施設端末２に表示させる。例えば、利用者が図７に示す前記第２メニュー画面において、お気に入りページボタンＭ５を選択した場合、お気に入り商品表示処理部１１５は、図８に示すお気に入りページを施設端末２に表示させる。
【００４２】
図８に示すお気に入りページには、お気に入り商品欄Ｓ１にお気に入り商品の画像Ｓ２が含まれる。お気に入り商品表示処理部１１５は、前記お気に入り商品の数に応じた大きさで、前記お気に入り商品の画像Ｓ２を施設端末２の前記お気に入りページに表示させる。ここでは、前記お気に入り商品は４個であるため、お気に入り商品表示処理部１１５は、例えば４個のお気に入り商品のそれぞれの画像Ｓ２が同じ大きさになるように、前記お気に入りページに表示させる。また、お気に入り商品表示処理部１１５は、利用者が確認し易いように、全ての前記お気に入り商品の画像Ｓ２を、前記お気に入りページの１ページに収まる大きさで表示させることが好ましい。例えば図９に示す例では、８個のお気に入り商品の画像が１ページに収まるように表示されている。
【００４３】
なお、お気に入り商品表示処理部１１５は、商品に応じて画像の大きさを変更してもよい。例えば、お気に入り商品表示処理部１１５は、食べ物の商品については、画像を大きく表示し、飲み物の商品については、画像を小さく表示する。
【００４４】
また、お気に入り商品表示処理部１１５は、お気に入り商品の情報として、商品名及び金額の情報を、前記お気に入りページに表示させてもよい。さらに、お気に入り商品表示処理部１１５は、利用者から前記お気に入り商品の注文数を増減させる操作を受け付ける数量変更ボタンと、利用者から前記お気に入り商品を前記お気に入りページから削除する操作を受け付ける削除ボタンとを表示させてもよい。利用者は、前記お気に入りページにおいて、お気に入り商品の注文数を変更させたり、削除させたりすることができる。
【００４５】
また、お気に入り商品表示処理部１１５は、画像Ｓ２と同様に、前記お気に入り商品の数に応じた大きさで、商品名及び金額の情報を前記お気に入りページに表示させる。
【００４６】
また、お気に入り商品表示処理部１１５は、前記お気に入りページにおいて、前記お気に入り商品をメニューのカテゴリーごとに並べて表示させる。なお、お気に入り商品表示処理部１１５は、前記お気に入り商品を、注文頻度順、人気順など所定の条件に応じた優先順位に基づいて表示させてもよい。
【００４７】
また図８に示すお前記気に入りページには、注文確定ボタンＭ８が含まれる。利用者が注文確定ボタンＭ８を選択した場合、注文処理部１１３は、前記お気に入りページに表示されている前記お気に入り商品の注文を確定させる。注文処理部１１３は、注文が確定した前記お気に入り商品の情報（注文内容）を厨房端末に送信する。なお、注文確定ボタンＭ８は、前記お気に入り商品ごとに配置されてもよい。この場合、注文処理部１１３は、前記お気に入り商品ごとに注文を確定させる。
【００４８】
会計処理部１１６は、利用者が注文した商品の合計金額について会計処理を行う。例えば、施設端末２に表示された各種画面において利用者が会計ボタンＭ７を選択した場合、会計処理部１１６は、会計画面（不図示）を施設端末２に表示させる。利用者は、前記会計画面において請求金額を支払う会計操作を行う。会計処理部１１６は、前記会計操作に応じて会計処理を行う。
【００４９】
注文処理部１１３により注文が確定された場合、又は、会計処理部１１６により会計処理が完了された場合、商品登録処理部１１４は、お気に入り商品情報ＤＢ１２２（図３参照）に登録された前記お気に入り商品の情報を削除し、お気に入り商品表示処理部１１５は、前記お気に入りページに表示されたお気に入り商品の情報を削除する。
【００５０】
［施設端末２］
図１に示されるように、施設端末２は、制御部２１、記憶部２２、操作表示部２３、及び通信Ｉ／Ｆ２４などを備える。施設端末２は、例えばタブレット端末又はパーソナルコンピュータのような情報処理装置であってもよい。
【００５１】
通信Ｉ／Ｆ２４は、施設端末２を有線又は無線で通信網Ｎ１に接続し、通信網Ｎ１を介して商品注文支援装置１などの外部機器との間で所定の通信プロトコルに従ったデータ通信を実行するための通信インターフェースである。
【００５２】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。操作表示部２３は、飲食物のメニュー画面（前記第１メニュー画面、前記第２メニュー画面）、メニューに関する各種ページ、会計画面などを表示する。また操作表示部２３は、例えばタッチパネルで構成され、メニュー画面などにおいて利用者の選択操作（タッチ操作）を受け付ける。
【００５３】
記憶部２２は、各種の情報を記憶するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリーなどの不揮発性の記憶部である。例えば、記憶部２２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従って商品注文支援装置１などの外部装置との間で通信処理を制御部２１に実行させるための制御プログラムである。
【００５４】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより施設端末２を制御する。
【００５５】
具体的に、制御部２１は、記憶部２２に記憶されている前記ブラウザプログラムに従って各種の処理を実行することによりブラウザ処理部２１１として機能する。ブラウザ処理部２１１は、商品注文支援装置１から通信網Ｎ１を介して提供される各種情報を操作表示部２３に表示させ、操作表示部２３に対する操作を商品注文支援装置１に入力するブラウザ処理を実行することが可能である。なお、制御部２１に含まれる一部又は全部の処理部は電子回路で構成されていてもよい。
【００５６】
［商品注文支援処理］
次に、図１０を参照しつつ、商品注文支援システム１００において実行される商品注文支援処理について説明する。具体的に、本実施形態では、商品注文支援装置１の制御部１１によって商品注文支援処理が実行される。また、制御部１１は、各施設端末２からのアクセスに応じて各施設端末２に対応して商品注文支援処理を並行して実行することが可能である。なお、制御部１１は、施設端末２の所定の操作によって商品注文支援処理を途中で終了することがある。
【００５７】
なお、本発明は、前記商品注文支援処理に含まれる一又は複数のステップを実行する商品注文支援方法の発明として捉えることができる。また、ここで説明する前記商品注文支援処理に含まれる一又は複数のステップは適宜省略されてもよい。なお、前記商品注文支援処理における各ステップは同様の作用効果を生じる範囲で実行順序が異なってもよい。さらに、ここでは制御部１１によって前記商品注文支援処理における各ステップが実行される場合を例に挙げて説明するが、複数のプロセッサによって前記商品注文支援処理における各ステップが分散して実行される商品注文支援方法も他の実施形態として考えられる。
【００５８】
ステップＳ１１において、制御部１１は、飲食店が提供する商品の情報を含む商品ページを施設端末２に表示させる。具体的には、制御部１１は、図４に示す前記第１メニュー画面を施設端末２に表示させる。例えば、飲食店に来店した利用者又は飲食店のスタッフが、施設端末２の電源をオンした場合、又は、施設端末２の操作表示部２３にタッチした場合に、制御部１１は、前記第１メニュー画面を施設端末２に表示させる。
【００５９】
次にステップＳ１２において、制御部１１は、前記第１メニュー画面（図４参照）及び前記第２メニュー画面（図５参照）において利用者により商品が選択されたか否かを判定する。利用者により商品が選択された場合（Ｓ１２：ＹＥＳ）、処理はステップＳ１３に移行する。制御部１１は、利用者により商品が選択されるまで待機する（Ｓ１２：ＮＯ）。
【００６０】
ステップＳ１３において、制御部１１は、利用者により選択された商品がお気に入り商品として選択されたか否かを判定する。前記商品がお気に入り商品として選択された場合、すなわち、利用者が当該商品についてお気に入り登録ボタンＫ２をタッチした場合（図６参照）、処理はステップＳ１４に移行する。一方、前記商品がお気に入り商品として選択されない場合、処理はステップＳ２０に移行する。
【００６１】
ステップＳ１４において、制御部１１は、利用者により選択された商品をお気に入り商品に登録する。利用者によりお気に入り商品を選択する操作が行われる度に、制御部１１は、選択された商品をお気に入り商品情報ＤＢ１２２（図３参照）に登録していく。
【００６２】
次にステップＳ１５において、制御部１１は、利用者によりお気に入りページボタンＭ５が選択されたか否かを判定する。利用者によりお気に入りページボタンＭ５が選択された場合（Ｓ１５：ＹＥＳ）、処理はステップＳ１６に移行する。制御部１１は、利用者によりお気に入りページボタンＭ５が選択されるまでステップＳ１２〜Ｓ１５の処理を繰り返す。
【００６３】
ステップＳ１６において、制御部１１は、図８に示す前記お気に入りページを施設端末２に表示させる。
【００６４】
次にステップＳ１７において、利用者により前記お気に入りページに表示された前記お気に入り商品の注文を確定させる操作を受け付けたか否かを判定する。利用者により前記お気に入りページにおいて注文確定ボタンＭ８（図８参照）が選択された場合（Ｓ１７：ＹＥＳ）、処理はステップＳ１８に移行する。利用者により注文確定ボタンＭ８が選択されない場合は（Ｓ１７：ＮＯ）、引き続き利用者により前記お気に入り商品の選択などの操作が行われる。
【００６５】
ステップＳ１８において、制御部１１は、前記お気に入り商品の注文を確定させる。例えば、制御部１１は、注文が確定した前記お気に入り商品の情報を厨房端末に送信する。
【００６６】
次にステップＳ１９において、制御部１１は、注文が確定された場合、又は、注文商品の会計処理が完了された場合に、お気に入り商品情報ＤＢ１２２（図３参照）に登録された前記お気に入り商品の情報を削除し、かつ前記お気に入りページに表示された前記お気に入り商品の情報を削除する。
【００６７】
ステップＳ２０では、利用者により選択された商品の注文を確定させる操作を受け付けたか否かを判定する。例えば利用者により前記第２メニュー画面において注文確定ボタンＫ１がタッチされた場合（図６参照）（Ｓ２０：ＹＥＳ）、処理はステップＳ２１に移行する。利用者により注文確定ボタンＫ１が選択されない場合は（Ｓ２０：ＮＯ）、引き続き利用者により前記お気に入り商品の選択などの操作が行われる。
【００６８】
ステップＳ２１において、制御部１１は、前記商品の注文を確定させる。例えば、制御部１１は、注文が確定した商品の情報を厨房端末に送信する。以上のようにして前記商品注文支援処理が行われる。
【００６９】
以上説明したように、本実施形態に係る商品注文支援システム１００は、利用者により選択された商品がお気に入り商品に登録された場合に、当該お気に入り商品の画像を含む商品情報を、施設端末２において、商品ページ（第１メニュー画面、第２メニュー画面）とは異なるお気に入りページに表示させる。これにより、利用者は、注文を確定させる前に、お気に入りページにおいてお気に入り商品の一覧画像を確認することができる。そして、利用者は前記お気に入りページで前記お気に入り商品を確認してから注文を確定させることができる。このため、利用者は一度閲覧した商品ページを繰り返し閲覧する手間を省くことができる。よって、利用者が施設端末２により商品を注文する際の利便性を向上させることが可能となる。
【００７０】
また、商品注文支援システム１００は、例えばお気に入り商品の注文が確定された場合に、お気に入り商品情報ＤＢ１２２（図３参照）に登録された前記お気に入り商品の情報を削除し、前記お気に入りページに表示された前記お気に入り商品の情報を削除する。このため、利用者が引き続き商品を選択した場合には、新たなお気に入り商品の情報が前記お気に入りページに表示される。よって、利用者は、更新された前記お気に入りページにおいて、新たに選択した前記お気に入り商品を容易に確認することが可能となる。このように、前記お気に入りページは、注文履歴の情報が蓄積される注文ページとは異なる機能を有する。
【００７１】
さらに、商品注文支援システム１００によれば、施設端末２において利用がメニュー画面を行ったり来たりする回数が抑制されるため、通信トラフィックの低減、及びコンピュータリソースの有効利用が可能となる。
【００７２】
ここで、利用者が、ある商品をお気に入り商品として選択した場合であっても、当該商品の注文を長時間確定させない場合には、利用者にとって前記商品は好みの商品とは言えない。そこで、商品注文支援システム１００は、例えば利用者が選択した商品が前記お気に入り商品に登録されてから所定時間経過した場合に、お気に入り商品情報ＤＢ１２２（図３参照）に登録された前記お気に入り商品の情報を削除し、かつ前記お気に入りページに表示された前記お気に入り商品の情報を削除する構成としてもよい。これにより、利用者が選択した商品が長時間お気に入りページに表示されることを防ぐことができる。
【００７３】
なお、利用者が、後で前記商品を注文するために意図的に、当該商品の情報を前記お気に入りページに留めておきたい場合もある。そこで、商品注文支援システム１００は、前記お気に入りページにおいて、前記商品を削除されないように保存（キープ）させる機能を備えてもよい。例えば、利用者が前記お気に入りページにおいて前記商品の画像に付された保存ボタン（不図示）を選択した場合に、商品注文支援システム１００は、前記商品の情報を削除せずに表示し続ける。これにより、利用者が選択した商品が前記お気に入り商品に登録されてから所定時間経過した場合には、前記お気に入りページに表示された複数の商品のうち、保存ボタンが選択された商品は削除されず、保存ボタンが選択されていない商品だけが削除される。
【００７４】
本発明は上記実施形態に限定されない。本発明の他の実施形態に対応する変形例について以下に説明する。また、以下の説明では、上記実施形態の構成と共通の構成については、上記実施形態の構成と同じ符号を付し示すことにより、その説明を省略し、また、作用及び効果について重複する説明を省略する。
【００７５】
［変形例１］
上記実施形態では、利用者が所望の商品をお気に入り商品として登録する操作として、お気に入り登録ボタンＫ２を選択（タッチ）する操作を例示したが、本発明はこれに限定されない。他の実施形態として、例えば、商品表示処理部１１１は、図１１に示すように、施設端末２の第２メニュー画面（商品ページ）において、利用者によるドラッグアンドドロップ操作により商品画像Ｍ３を移動可能に表示させる。そして、商品登録処理部１１４は、前記第２メニュー画面において、利用者によるドラッグアンドドロップ操作により商品画像Ｍ３が所定の領域ＡＲ０に移動された場合に、当該商品をお気に入り商品に登録する。
【００７６】
これにより、商品注文支援システム１００において利用者が商品を選択する際の操作性を向上させることができる。なお、商品注文支援システム１００は、お気に入り商品が登録される度に、前記第２メニュー画面の領域ＡＲ０に前記お気に入り商品の画像Ｍ３を追加して一覧表示させてもよい。
【００７７】
［変形例２］
上記実施形態では、図８及び図９に示すように、利用者により選択された全ての前記お気に入り商品の画像が前記お気に入りページに表示されているが、本発明はこれに限定されない。他の実施形態として、商品注文支援システム１００は、利用者により選択された前記お気に入り商品のうち、一部のお気に入り商品については画像を含む商品情報を施設端末２の前記お気に入りページに表示させ、他の一部のお気に入り商品については画像を除いた商品情報を施設端末２の前記お気に入りページに表示させる。
【００７８】
例えば、お気に入り商品表示処理部１１５は、商品登録処理部１１４により登録される前記お気に入り商品のうち、注文頻度が高い第１お気に入り商品の画像を前記お気に入りページに表示させ、前記第１お気に入り商品とは異なる第２お気に入り商品の画像を除いたテキスト情報（商品名、金額など）を前記お気に入りページに表示させる。ここで、注文頻度が高い第１お気に入り商品は、例えば、お代わり商品、人気商品、ドリンクなど、注文数又は注文頻度が高い商品である。前記注文頻度は、飲食店における注文履歴に基づいて決定される。例えば、前記お気に入り商品として、「刺身（５種）」、「海鮮サラダ」、「天ぷら定食」、「チョコケーキ」、及び「ビール」が登録された場合に、お気に入り商品表示処理部１１５は、図１２に示すように、注文頻度が高い「刺身（５種）」、「海鮮サラダ」、及び「ビール」については、画像及び商品名を前記お気に入りページに表示させる。また、お気に入り商品表示処理部１１５は、注文頻度が低い「天ぷら定食」及び「チョコケーキ」については、画像を除いた商品名を前記お気に入りページに表示させる。
【００７９】
これにより、利用者に対して、前記注文頻度が高い商品を認識させ易くなるため、利用者に当該商品の再注文を促すことができる。
【００８０】
また商品注文支援システム１００は、前記お気に入りページにおいて画像を表示しなくても利用者が認識し易い商品については、当該画像を省略してもよい。例えば、ドリンクは画像が表示されなくても利用者は認識し易いと考えられる。そこで、例えば図１３に示すように、お気に入り商品表示処理部１１５は、食べ物の商品である「刺身（５種）」、「天ぷら定食」、及び「チョコケーキ」については、画像及び商品名を前記お気に入りページに表示させ、「ビール」及び「烏龍茶」については、画像を省略して商品名を前記お気に入りページに表示させる。
【００８１】
［変形例３］
上記実施形態では、注文処理部１１３により前記お気に入り商品の注文が確定された場合に、商品登録処理部１１４は、お気に入り商品情報ＤＢ１２２（図３参照）に登録された前記お気に入り商品の情報を削除し、かつお気に入り商品表示処理部１１５は、前記お気に入りページに表示された前記お気に入り商品の情報を削除する。しかし、本発明はこれに限定されない。
【００８２】
他の実施形態として、商品注文支援システム１００は、注文処理部１１３により前記お気に入り商品の注文が確定された場合において、商品登録処理部１１４は、注文が確定された前記お気に入り商品のうち注文頻度が高い第１お気に入り商品の登録を維持し、前記第１お気に入り商品とは異なる第２お気に入り商品の登録を解除する。また、お気に入り商品表示処理部１１５は、前記第１お気に入り商品の画像を前記お気に入りページに表示させ、前記第２お気に入り商品の画像を前記お気に入りページから削除させる。
【００８３】
例えば、図８に示す前記お気に入りページにおいて、利用者が注文確定ボタンＭ８を選択して、注文処理部１１３により前記お気に入り商品の注文が確定された場合に、商品登録処理部１１４は、お気に入り商品情報ＤＢ１２２（図３参照）において、注文頻度が高い「刺身（５種）」及び「ビール」の登録を維持し、他の「天ぷら定食」及び「チョコケーキ」の登録を解除（削除）する。これに伴い、お気に入り商品表示処理部１１５は、図１４に示すように、「刺身（５種）」及び「ビール」の商品情報（画像）を前記お気に入りページに表示させ、「天ぷら定食」及び「チョコケーキ」の商品情報を前記お気に入りページから削除させる。
【００８４】
これにより、一度注文した注文頻度が高い商品が前記お気に入りページに引き続き表示されるため、利用者に当該商品の再注文を促すことができる。なお、お気に入り商品表示処理部１１５は、図１４に示すように、前記お気に入りページにおいて、各お気に入り商品の数量に「０」に表示させる。利用者は、前記お気に入りページから再注文する場合は、数量を入力して注文を確定させる。
【００８５】
なお、お気に入り商品表示処理部１１５は、図１４に示す前記お気に入りページにおいて、注文回数の履歴を示す情報を画像に付与してもよい。例えば、お気に入り商品表示処理部１１５は、図１４に示す画像ＰＡ２，ＰＤ１に１つのフラグ（例えば「☆」）を付与し、その後に「刺身（５種）」が再注文された場合には画像ＰＡ２に２つのフラグを付与する。また前記情報は、注文数の履歴の情報を含んでもよい。
【００８６】
［変形例４］
他の実施形態として、商品注文支援システム１００は、テーブルを利用する利用者（グループ）の人数と、お気に入り商品情報ＤＢ１２２に登録された前記お気に入り商品とに基づいて、前記注文が確定された後にお気に入り商品情報ＤＢ１２２から削除すべき商品を決定してもよい。例えば、グループの人数が４名の場合において、前記お気に入り商品に２人前の「枝豆」が含まれる場合には、当該商品は追加注文されることが考えられる。このような場合、注文処理部１１３により前記お気に入り商品の注文が確定された場合に、商品登録処理部１１４は、お気に入り商品情報ＤＢ１２２において、「枝豆」の登録を維持し、お気に入り商品表示処理部１１５は、「枝豆」の商品情報（画像）を前記お気に入りページに引き続き表示させる。
【００８７】
これに対して、グループの人数が２名の場合において、前記お気に入り商品に、２人前の「枝豆」が含まれる場合には、当該商品は追加注文される可能性が低い。このような場合、注文処理部１１３により前記お気に入り商品の注文が確定された場合に、商品登録処理部１１４は、お気に入り商品情報ＤＢ１２２から「枝豆」の登録を削除し、お気に入り商品表示処理部１１５は、「枝豆」の商品情報（画像）を前記お気に入りページから削除させる。なお、商品注文支援システム１００は、飲食店のスタッフが前記テーブルを利用する利用者の人数を入力することにより当該人数の情報を取得してもよいし、各利用者が施設端末２においてチェックイン操作を行うことにより施設端末２から当該人数の情報を取得してもよい。
【００８８】
［変形例５］
他の実施形態として、商品注文支援システム１００では、商品注文支援装置１が複数の施設端末２のそれぞれから利用者による操作情報を取得して、各施設端末２に情報を提供してもよい。
【００８９】
例えば、商品注文支援装置１は、複数の施設端末２のそれぞれから前記お気に入り商品の情報を取得する。そして、商品注文支援装置１は、施設端末２Ａに、他の施設端末２において選択された前記お気に入り商品の情報、現在の前記お気に入り商品のランキング情報、注文状況の情報などを表示させる。これにより、利用者は、リアルタイムで他の利用者の前記お気に入り商品に関する情報などを取得することができるため、商品選びの参考にすることができる。
【符号の説明】
【００９０】
１          ：商品注文支援装置
２          ：施設端末
１１        ：制御部
１２        ：記憶部
１３        ：操作表示部
１４        ：通信Ｉ／Ｆ
２１        ：制御部
２２        ：記憶部
２３        ：操作表示部
２４        ：通信Ｉ／Ｆ
１００      ：商品注文支援システム
１１１      ：商品表示処理部
１１２      ：受付処理部
１１３      ：注文処理部
１１４      ：商品登録処理部
１１５      ：お気に入り商品表示処理部
１１６      ：会計処理部
２１１      ：ブラウザ処理部
【図１】
2020077145.tif 000003
【図２】
2020077145.tif 000004
【図３】
2020077145.tif 000005
【図４】
2020077145.tif 000006
【図５】
2020077145.tif 000007
【図６】
2020077145.tif 000008
【図７】
2020077145.tif 000009
【図８】
2020077145.tif 000010
【図９】
2020077145.tif 000011
【図１０】
2020077145.tif 000012
【図１１】
2020077145.tif 000013
【図１２】
2020077145.tif 000014
【図１３】
2020077145.tif 000015
【図１４】
2020077145.tif 000016